(57)【要約】【課題】回路基板に実装された電気部品をケースカバーに形成された部品挿入孔から外側に突出した部分が適切に封鎖される。【解決手段】コネクタ７のコネクタボディ１０が外側に突出する被覆部材４を一体に備え、コネクタ７の電気接続端子１１が回路基板３の端子挿入孔８に挿入されて回路基板３のバンプ１４に半田４３で付けられ、コネクタ７が回路基板３に実装された後、回路基板３がケースベース１とケースカバー２とからなる内部の閉鎖空間３７に格納されることによって、コネクタボディ１０の上部がケースカバー２の部品挿入孔３１を閉鎖空間３７から外側に突出し、被覆部材４がコネクタボディ１０と部品挿入孔３１の周縁部との間の隙間４４を塞いでいる。【選択図】図１
2006095225.tif 000002
【特許請求の範囲】
【請求項１】
回路に必要な電気部品の実装された回路基板が、ケースベースとケースカバーとによって囲まれた内部の閉鎖空間に格納され、回路基板における外部からの接続または操作の必要な電気部品がケースカバーに形成された部品挿入孔からケースカバーの外側に突出され、外部からの接続または操作の必要な電気部品とケースカバーの部品挿入孔の周縁部との間の隙間に被覆部材が配置された遊技機の回路基板収納箱において、被覆部材が、外部からの接続または操作の必要な電気部品とケースカバーの部品挿入孔の周縁部との間の隙間を全体的に塞ぐために、外部からの接続または操作の必要な電気部品における回路基板のケースカバーの側に位置する表面からケースカバーの側に突出した部品ボディに一体に設けられ、ケースカバーの部品挿入孔周縁部と回路基板との間に挿入されるカバー側延設部を備えたことを特徴とする遊技機の回路基板収納箱。
【請求項２】
カバー側延設部が部品挿入孔の周縁部と回路基板とに接触したことを特徴とする請求項１記載の遊技機の回路基板収納箱。
【請求項３】
ケースカバーが部品挿入孔の周縁部より被覆部材の方向に突出するリブを備え、被覆部材のカバー側延設部がケースカバーの方向に突出する周壁を備え、リブが周壁の内側に位置し、周壁がリブの外側を囲むように、リブと周壁とが互いに嵌め合わされたことを特徴とする請求項１記載の遊技機の回路基板収納箱。
【請求項４】
電気部品が回路基板に実装された場合、被覆部材が回路基板から離れるように部品ボディに設けられたことを特徴とする請求項１記載の遊技機の回路基板収納箱。
【発明の詳細な説明】
【技術分野】
【０００１】
本発明は、回路基板に実装された電気部品をケースカバーに形成された部品挿入孔から外側に突出した部分における封鎖が適切な遊技機の回路基板収納箱に関する。
【背景技術】
【０００２】
遊技機の回路基板収納箱は、回路を構成する電気部品の実装された回路基板が収納箱の一方を形成するケースベースの上に配置され、収納箱の他方を形成するケースカバーが回路基板における外部からの接続または操作の必要な電気部品を除いた電気部品を覆うように被せられ、ケースベースと回路基板およびケースカバーが止ねじで締結され、被覆部材がケースカバーから外部に露出された回路基板の実装領域に取り付けられ、被覆部材がケースカバーより外部に露出された回路基板における印刷配線と呼ばれる箔状の導体を心無い人からの不正行為から保護している。しかしながら、図１８に示すように、回路基板５１の裏面５１ｂはケースベース５０で全体的に覆われるものの、回路基板５１の電気部品５３；５４の実装された表面５１ａの一部がケースカバー５２で覆われることなく外部に露出している。そして、被覆部材５５には部品挿入孔５６が形成されており、被覆部材５５がケースカバー５２から露出した部分における電気部品５３の上方から被せられる場合に、当該電気部品５３の上部が部品挿入孔５６を貫通して被覆部材５５より上方に突出し、被覆部材５５がケースカバー５２から露出した電気部品５３とケースカバー５２で覆われた電気部品５４とを接続する導体５７を覆う構造である（特許文献１の図１１参照）。しかし、電気部品５３の回路基板５１の表面５１ａから上方に延びる外側面は、回路基板５１の表面５１ａに対し垂直な平坦面でなく、回路基板５１の表面５１ａと平行な方向に凹凸５８になっているのが一般的である。このため、ケースカバー５２で覆われていない電気部品５３が被覆部材５５の部品挿入孔５６に挿入され、被覆部材５５が回路基板５１に被せられた場合、部品挿入孔５６の周縁部と電気部品５３との間には隙間５９が存在する。よって、心無い人が、上記隙間５９から棒状の不正操作部材６０をケースカバー５２で覆われた内部空間６１に挿入し、内部空間６１における電気部品５４や被覆部材５５で覆われていない導体５７に不正を行うという欠点があった。また、図１９に示すように、ケースカバー５２から露出した電気部品５３に被覆部６２を設け、被覆部６２がケースカバー５２から露出した電気部品５３とケースカバー５２で覆われた電気部品５４とを接続する導体５７を覆う構造である（特許文献１の図１８参照）。このため、心無い人が、ケースカバー５２から露出した回路基板５１とケースカバー５２との間に形成された隙間６３から棒状の不正操作部材６０をケースカバー５２で覆われた内部空間６１に挿入し、内部空間６１における電気部品５４や導体５７に不正を行う行為が行われるという欠点があった。図１８および図１９に示した構造は、回路基板５１の電気部品５３；５４の実装された表面５１ａの一部がケースカバー５２から外部に露出し、被覆部材５５または被覆部６２がケースカバー５２から露出した電気部品５３とケースカバーで覆われた電気部品５４とを接続する導体５７を覆うだけで、回路基板５１の電気部品５３；５４の実装された表面５１ａがケースカバー５２で全体的に覆われていないため、ケースカバー５２で覆われた内部空間６１における電気部品５４や導体５７が不正行為を受けるという欠点があった。
【特許文献１】特開平１０−２８６３６５号公報
【発明の開示】
【発明が解決しようとする課題】
【０００３】
発明が解決しようとする問題点は、回路基板に対する不正行為が行われるという点である。
【課題を解決するための手段】
【０００４】
本発明に係る遊技機の回路基板収納箱は、回路に必要な電気部品の実装された回路基板が、ケースベースとケースカバーとによって囲まれた内部の閉鎖空間に格納され、回路基板における外部からの接続または操作の必要な電気部品がケースカバーに形成された部品挿入孔からケースカバーの外側に突出され、外部からの接続または操作の必要な電気部品とケースカバーの部品挿入孔の周縁部との間の隙間に被覆部材が配置された遊技機の回路基板収納箱において、被覆部材が、外部からの接続または操作の必要な電気部品とケースカバーの部品挿入孔の周縁部との間の隙間を全体的に塞ぐために、外部からの接続または操作の必要な電気部品における回路基板のケースカバーの側に位置する表面からケースカバーの側に突出した部品ボディに一体に設けられ、ケースカバーの部品挿入孔周縁部と回路基板との間に挿入されるカバー側延設部を備えたことを最も主要な特徴とする。カバー側延設部が部品挿入孔の周縁部と回路基板とに接触したり、または、ケースカバーが部品挿入孔の周縁部より被覆部材の方向に突出するリブを備え、被覆部材のカバー側延設部がケースカバーの方向に突出する周壁を備え、リブが周壁の内側に位置し、周壁がリブの外側を囲むように、リブと周壁とが互いに嵌め合わされたり、または、電気部品が回路基板に実装された場合、被覆部材が回路基板から離れるように部品ボディに設けられてもよい。
【発明の効果】
【０００５】
本発明に係る遊技機の回路基板収納箱は、不正操作部材がケースベースとケースカバーとからなる収納箱の外部からの接続または操作の必要な電気部品とケースカバーの部品挿入孔の周縁部との間の隙間に挿入されても、外部からの接続または操作の必要な電気部品の部品ボディと一体に設けられた被覆部材および部品延設部が不正操作部材のケースベースとケースカバーとからなる内部の閉鎖空間への侵入を阻止し、回路基板に対する不正行為を防止することができるという利点がある。しかも、被覆部材が部品ボディと一体に設けられたことによって、電気部品を回路基板に実装することによって、被覆部材も設けられるので、被覆部材と電気部品とを別々に回路基板に実装する作業が不要となり、被覆部材を回路基板３に接着または接合または止めねじなどで固定する必要がなく、被覆部材と電気部品との回路基板への実装作業が容易になるという利点がある。カバー側延設部が部品挿入孔の周縁部と回路基板とに接触したり、または、ケースカバーが部品挿入孔の周縁部より被覆部材の方向に突出するリブを備え、被覆部材のカバー側延設部がケースカバーの方向に突出する周壁を備え、リブが周壁の内側に位置し、周壁がリブの外側を囲むように、リブと周壁とが互いに嵌め合わされていれば、不正操作部材の閉鎖空間への侵入を一層良好に阻止することができるという利点がある。電気部品が回路基板に実装された場合、被覆部材が回路基板から離れるように部品ボディに設けられれば、電気部品の電気接続子と回路基板のバンプとを半田で付ける場合の熱が被覆部材に奪われることもなく、電気接続子とバンプとが互いに半田で適切に付けられるという利点がある。
【発明を実施するための最良の形態】
【０００６】
図１乃至図１０は、発明を実施するための最良の形態である。図１は、遊技機の回路基板収納箱における主要部の断面を示す。図２は、回路基板収納箱を分解して示す。図３は、ケースベース１の外観を示す。図４は、図３のケースベース１をＡ−Ａ線に沿い切断した断面を示す。図５は、ケースカバー２の外観を示す。図６は、図５のケースベース１をＢ−Ｂ線に沿い切断した断面を示す。図７は、図５のケースカバー２をひっくり返した裏側からの外観を示す。図８は、被覆部材４を備えたコネクタ７を一部切除した側面を示す。図９および図１０は、回路基板収納箱を組み立てる工程を示す。
【０００７】
図２を参照し、遊技機の回路基板収納箱の構成部品について説明する。回路基板収納箱は、収納箱の一方を形成するケースベース１、収納箱の他方を形成するケースカバー２、方形な回路基板３、被覆部材４を備える。回路基板３に実装される電気部品６のうちで外部からの接続または操作の必要な電気部品６として複数のコネクタ７を例示する。図２は、コネクタ７が回路基板３の一側部に実装される前の時点において被覆部材４を備えており、ＣＰＵ、ＲＯＭ、ＲＡＭ、入力インターフェース、出力インターフェース、抵抗器、コンデンサ、コイル、ダイオード、トランジスタなどの種々の電気部品６が回路基板３に挿入実装または面実装により実装されて回路基板３の表面３ａに存在している形態であって、回路基板３の一側部には、複数の端子挿入孔８が、回路基板３の表面３ａと裏面３ｂとに貫通する。回路基板３の四隅には、取付孔９が、回路基板３の表面３ａと裏面３ｂとに貫通する。コネクタ７は、合成樹脂からなる部品ボディとしてのコネクタボディ１０の底面から複数の電気接続端子１１を下方に突出する。コネクタ７が回路基板３に実装される場合、電気接続端子１１が、回路基板３の表面３ａの側から端子挿入孔８に挿入される。コネクタ７には、被覆部材４が、コネクタボディ１０の側面から外側に一体に突出する。
【０００８】
図３および図４を参照し、ケースベース１の構造について説明する。ケースベース１は、光を透過する性質の有る無色の合成樹脂により、ベース基板１５、側壁１６、支持台１７、係合部１８、受孔１９、突起２０、固定部２１を備えた、一体の形状に形成された構造である。ベース基板１５は、ケースカバー２より大きな方形である。側壁１６は、ベース基板１５における相対峙する一対の周縁および右側に位置する１つの周縁から図２のケースカバー２と向かい合わされる方向としての一方向にベース基板１５の板面の１つである表面１５ａと直角となるように突出し、互いにベース基板１５の周方向で連接される。支持台１７は、ケースベース１とケースカバー２とが横移動によって組み合わせられる場合、回路基板３の裏面３ｂを受け止める部分であって、側壁１６からベース基板１５の表面１５ａと対向する方向に向けて突出する。
【０００９】
側壁１６と支持台１７との間の隙間は、ケースカバー２の側壁を収納する取込溝２２として形成される。係合部１８は、ケースベース１とケースカバー２とが横移動によって組み合わせられる場合、取込溝２２に収納されたケースカバー２におけるカバー基板２６の板面の１つである表面２６ａを覆う。受孔１９は、ケースベース１とケースカバー２とが互いに組み合わせられる場合における横移動と直交する方向に存在する右側に位置する側壁１６に設けられ、ケースベース１とケースカバー２とが横移動によって組み合わせられる場合、ケースカバー２の突起３５と嵌め合わされる。突起２０は、ベース基板１５の１つの側壁１６に相対峙する左縁部から左側に突出し、ケースベース１とケースカバー２とが横移動によって組み合わせられる場合、ケースカバー２の受孔３４と嵌め合わされる。固定部２１は、互いに組み合わせられたケースベース１とケースカバー２とを分離不能に固定するための部分であって、例えば、相対峙する一対の側壁１６における一方の側壁１６から外側に突出する。固定部２１には、窪み状の複数の固定個所部２３を備える。
【００１０】
図５乃至図７を参照し、ケースカバー２の構造について説明する。ケースカバー２は、光を透過する性質の有る無色の合成樹脂により、カバー基板２６、側壁２７、主膨出部２８、副膨出部２９、基板取付部３０、部品挿入孔３１、リブ３２、切欠部３３、受孔３４、突起３５、固定部３６、装置取付部３７を備えた、一体の形状に形成された構造である。図６にも示すように、カバー基板２６は、回路基板３より大きな方形である。側壁２７は、カバー基板２６の表面２６ａよりも、カバー基板２６からケースベース１と向かい合わされる方向に突出し、互いにカバー基板２６の周方向に連接される。この互いに連接された側壁２７で囲まれた方形な開口は、回路基板３より大きな方形である。
【００１１】
主膨出部２８および副膨出部２９は、カバー基板２６の裏面２６ｂから表面２６ａの側に突出する窪みを形成する。主膨出部２８は、ケースカバー２と回路基板３とが互いに組み合わせられた場合、回路基板３にコネクタ７を除き実装された電気部品６を覆うケースベース１の側に開口した内部空間を形成する。副膨出部２９は、ケースカバー２と回路基板３とが互いに組み合わせられた場合、回路基板３に実装されたコネクタ７および被覆部材４を覆うケースベース１の側に開口した内部空間を形成する。部品挿入孔３１は、ケースカバー２と回路基板３とが互いに組み合わせられた場合、回路基板３に実装されたコネクタ７をケースカバー２から外部に突出するための開口であって、複数のコネクタ７を個別に部品挿入孔３１から突出するように、副膨出部２９に個別に設けられる。リブ３２は、部品挿入孔３１の周縁から副膨出部２９の内部に突出し、部品挿入孔３１の周方向に連接された、環状である。
【００１２】
切欠部３３は、ケースベース１とケースカバー２とが横移動によって組み合わせられる場合、ケースベース１における相対峙する一対の側壁１６を逃げる部分である。受孔３４は、ケースベース１とケースカバー２とが互いに組み合わせられる場合における横移動と直交する方向に存在する左側の側壁２７に設けられ、ケースベース１とケースカバー２とが横移動によって組み合わせられる場合、ケースベース１の突起２０に嵌め合わされる。突起３５は、ケースベース１とケースカバー２とが互いに組み合わせられる場合における横移動と直交する方向に存在するから右側の側壁２７から外側に突出し、ケースベース１とケースカバー２とが横移動によって組み合わせられる場合、ケースカバー２の受孔１９に嵌め合わされる。固定部３６は、互いに組み合わせられたケースベース１とケースカバー２とを分離不能に固定するための部分であって、ケースベース１の固定部２１と同じ方向に位置するように、１つの側壁２７から外側に突出する。固定部３６には、複数の固定個所部３８を備える。固定個所部３８の内部には、図外の固定ねじが個別に収納されている。
【００１３】
図８を参照し、被覆部材４を備えたコネクタ７の構造について説明する。被覆部材４は、被覆基板４０、周壁４１を備え、合成樹脂によりコネクタボディ１０と一体の形状に形成された構造である。被覆基板４０は、副膨出部２９の内部空間に配置され、コネクタボディ１０の側面を周方向に取り囲む、部品挿入孔３１より大きな方形である。周壁４１は、被覆基板４０の周縁からケースカバー２と向かい合わされる方向としての一方向に突出し、互いに、被覆基板４０の周方向に連接された環状である。
【００１４】
図９および図１０を参照し、回路基板収納箱の組み立て方について説明する。先ず、図９のａ図に示すように、コネクタ７の電気接続端子１１が回路基板３の端子挿入孔８に挿入され、コネクタボディ１０の底面が回路基板３の表面３ａに載せられて接触し、電気接続端子１１の先端部が回路基板３における端子挿入孔８の周りのバンプ１４よりも外側に突出する。バンプ１４は、回路基板３に印刷配線のような導体と同じ材料からなる箔状の導体により半田４３を付けるために設けられた部分である。
【００１５】
半田４３がバンプ１４よりも突出した電気接続端子１１の先端部およびバンプ１４に付けられることによって、被覆部材４が回路基板３から離れた格好で、コネクタ７が挿入実装される。上記半田４３を付ける場合、被覆部材４が回路基板３から上方に浮き上がっているので、半田４３を付ける場合の熱が、被覆部材４に奪われることもなく、被覆基板４０と回路基板３との隙間にこもることもなく、当該隙間から被覆基板４０および回路基板３の外部に適切に逃げるので、被覆基板４０が存在しない場合と同様に、電気接続端子１１とバンプ１４とが互いに半田４３で良好に付けられる。この図９のａ図に示すコネクタ７および被覆部材４の回路基板３への実装は、図２に示すコネクタ７を除く電気部品６との実装と同時に行っても、図２に示すコネクタ７を除く電気部品６の実装後に行っても、図２に示すコネクタ７を除く電気部品６の実装前に行ってもよい。
【００１６】
その後、ケースカバー２における側壁２７で囲まれた開口が上方に向けられるように、ケースカバー２がひっくり返され、コネクタ７および電気部品６が下方に向けられるように、回路基板３がひっくり返され、回路基板３の表面３ａとカバー基板２６の裏面２１ｂとが互いに向かい合わせられ、回路基板３がケースカバー２の内部空間に格納される。これによって、図９のｂ図に示すように、コネクタ７の先端部がケースカバー２の部品挿入孔３１を突き抜けて副膨出部２９の内部空間から外側に突出し、回路基板３の取付孔９がケースカバー２の基板取付部３０に嵌め込まれ、回路基板３の周縁部がカバー基板２６の裏面２６ｂに搭載される。つまり、回路基板３の取付孔９とケースカバー２の基板取付部３０とが互いに嵌め込まれることで、止ねじのような固着具を用いることなく、回路基板３がケースカバー２に取り付けられるので、回路基板３の組立および分解の作業が容易である。これによって、ケースカバー２の主膨出部２８がコネクタ７を除く電気部品６を覆い隠し、ケースカバー２のリブ３２が被覆部材４における周壁４１の内側に嵌め込まれ、リブ３２が被覆部材４の被覆基板４０と接触するかまたは接触する程度に近づいて対向し、副膨出部２９が被覆部材４の周壁４１における外側の周囲を覆い隠する。
【００１７】
次に、図１０のａ図に示すように、ケースベース１の側壁１６で囲まれた開口とケースカバー２の側壁２７で囲まれた開口とが互いに向かい合わされ、ケースベース１の左側の側壁１６とケースカバー２の右側の側壁２７とが互いに近づけられる。そして、ケースカバー２の切欠部３３がケースベース１の支持台１７および相対峙する一対の側壁１６を取り込むように、ケースベース１とケースカバー２とが互いに嵌め合わされる。この場合、回路基板３がケースベース１の支持台１７で受け止められる。
【００１８】
その後、ケースベース１とケースカバー２とが互いに合わせられたまま、ケースベース１が矢印Ｘ２で示すように左側に向けて横移動され、ケースカバー２が矢印Ｘ１で示すように右側に向けて横移動される。これらの横移動はいずれか一方だけもよい。それに伴い、係合部１８がケースカバー２の相対峙する一対の側壁１６の側におけるカバー基板２６の表面２６ａを覆い、ケースベース１の受孔１９とケースカバー２の突起３５とが互いに嵌め合わされ、ケースベース１の突起２０とケースカバー２の受孔３４とが互いに嵌め合わされる。これによって、回路基板３が支持台１７とカバー基板２６とで挟まれて支持される。そして、ケースベース１における右側の側壁１６の内側面とケースカバー２における右側の側壁２７の外側面とが互いに突き当てられることで、固定部２１と固定部３６とが互いに向かい合わされる。その後、ケースカバー２における最も左側に位置する１つの固定個所部３８の図外の固定ねじがドライバーのような締結工具でケースベース１における最も左側に位置する１つの固定箇所部２３に締結される。これによって、図１０のｂ図に示すように、ケースベース１とケースカバー２とが互いに分離不能となる。
【００１９】
最良の形態における回路基板収納箱によれば、図１に示すように、コネクタ７と部品挿入孔３１との間の隙間４４を全体的に塞ぐために、コネクタボディ１０に被覆部材４を一体に設け、被覆部材４がカバー側延設部４５を備えた構造になっている。このため、不正操作部材４６がケースカバー２とケースベース１とからなる収納箱の外側から上記隙間４４に挿入されも、被覆部材４が不正操作部材４６の閉鎖空間３７への侵入を阻止する。よって、被覆部材４が回路基板３に実装されたコネクタ７をケースカバー２に形成された部品挿入孔３１からケースカバー２の外側に突出した部分を適切に封鎖し、不正操作部材４６が閉鎖空間３７への侵入することがなく、閉鎖空間３７における電気部品６とコネクタ７とを接続する回路基板３における箔状の導体や電気部品６が不正行為を受けることはないという利点がある。被覆部材４がコネクタボディ１０に一体に設けられたので、コネクタ７が回路基板３に実装されることによって、被覆部材４が回路基板３に実装されるので、被覆部材４とコネクタ７とを別々に回路基板３に実装する作業が不要となり、被覆部材４を回路基板３に接着または接合または止めねじなどで固定する必要がなく、被覆部材４とコネクタ７との回路基板３への実装作業が容易になるという利点がある。
【００２０】
被覆部材４の被覆基板４０とケースカバー２における部品挿入孔３１の周縁部を構成するリブ３２とが互いに接触するか接触する程度に近づいているので、不正操作部材４６の閉鎖空間３７への侵入を一層良好に阻止することができるという利点がある。ケースカバー２が部品挿入孔３１の周縁部より被覆部材４の方向に突出するリブ３２を備え、被覆部材４がケースカバー２の方向に突出する周壁４１を備え、リブ３２が周壁４１の内側に位置し、周壁４１がリブ３２の外側を囲むように、リブ３２と周壁４１とが互いに嵌め合わされているので、不正操作部材４６が隙間４４からリブ３２と被覆基板４０との間にたとえ進入しても、周壁４１に突き当たり、リブ３２と周壁４１との間に進入することができず、不正操作部材４６の閉鎖空間３７への侵入を一層良好に阻止することができるという利点がある。
【産業上の利用可能性】
【００２１】
図１１は、別の形態における被覆部材４を備えたコネクタ７を一部切除した側面を示す。被覆部材４の被覆基板４０がコネクタボディ１０の下部から外側に突出し、コネクタボディ１０の側面を周方向に取り囲む、部品挿入孔３１より大きな方形である。これよって、被覆基板４０が回路基板３に近づけられ、副膨出部２９の回路基板３からの高さを低くすることができる。
【００２２】
図１２乃至図１４は、さらに別の形態である。図１２は、被覆部材４を備えたコネクタ７の外観を示す。図１３は、被覆部材４を備えたコネクタ７を一部切除した側面を示す。図１４は、被覆部材４を備えた複数のコネクタ７を回路基板３に実装する工程を示す。図１２において、被覆部材４は、コネクタボディ１０から側面から外側に突出し、コネクタボディ１０の側面を周方向に取り囲む方形の板状である。被覆部材４における相対峙する一対の側部には、切除部４８；４９が互い違いに設けられる。つまり、一方の切除部４８は、被覆部材４における表面４ａから内部に窪む階段状に設けられる。他方の切除部４９は、被覆部材４における裏面４ｂから内部に窪む階段状に設けられる。切除部４８；４９は、被覆部材４における相対峙する一対の側面４ｃ：４ｄに開放されている。
【００２３】
図１４において、図１２および図１３に示したコネクタ７を回路基板３に複数個例えば３個一列に実装する場合について説明する。先ず、図１４のａ図に示すように、被覆部材４の切除部４９が回路基板３の側に向けられ、被覆部材４の切除部４８が回路基板３から離れる側に向けられ、１個目のコネクタ７が回路基板３に挿入実装されてバンプ１４に半田４３で付けられる。次に、図１４のｂ図に示すように、２個目のコネクタ７が回路基板３に挿入実装されてバンプ１４に半田４３で付けられる。この場合、２個目のコネクタ７における被覆部材４の切除部４９が１個目のコネクタ７における被覆部材４の切除部４８に重ね合わされる。その後、図１４のｃ図に示すように、３個目のコネクタ７における被覆部材４の切除部４９が２個目のコネクタ７における被覆部材４の切除部４８に重ね合わされ、３個目のコネクタ７が回路基板３に挿入実装されてバンプ１４に半田４３で付けられる。これによって、３個のコネクタ７における被覆部材４が互いにコネクタ７の並んだ方向で一連つながった１枚の板状に構成される。
【００２４】
よって、複数のコネクタ７を実装する順序は規制を受けるものの、ケースカバー２における部品挿入孔３１は、複数のコネクタ７ごとに独立させる必要がなく複数のコネクタ７の全部を１つの部品挿入孔３１から突出するような、細長い方形の簡単な形状に形成することができるという利点がある。
【００２５】
図１５は、さらに別の形態である。図１５のａ図に示すように、コネクタボディ１０に一体に設けられた被覆部材４と別に形成された副被覆部材４７を設ける。副被覆部材４７は、ケースカバー２における複数のコネクタ７の全部を挿入する１つの部品挿入孔３１の孔径よりも大きな板面を有し、合成樹脂またはゴムのような弾性材からなる光を透過する性質の有る板状である。副被覆部材４７には、複数の貫通孔４７ａが設けられる。貫通孔４７ａの孔径は、回路基板３に実装された複数のコネクタ７におけるコネクタボディ１０を個別に挿入する大きさであるが、被覆部材４の外形よりも小さい。被覆部材４は、コネクタボディ１０から外側に突出した板状であって、図８に示す周壁４１を削除した形態であるが、周壁４１を設けた形態であってもよい。
【００２６】
そして、複数のコネクタ７が回路基板３に実装された状態において、副被覆部材４７が複数のコネクタ７の全部に被せられ、複数のコネクタ７の全部における被覆部材４よりも回路基板３から離れる方向に突出したコネクタボディ１０の上部が副被覆部材４７の貫通孔４７ａに個別に挿入されると、複数のコネクタ７におけるコネクタボディ１０の上部が貫通孔４７ａから副被覆部材４７の上方に突出し、副被覆部材４７における貫通孔４７ａの周囲が被覆部材４と接触して被覆部材４を覆い隠す。その後、ケースカバー２がコネクタ７の上方から回路基板３に被せられ、副被覆部材４７より上方に突出した複数のコネクタ７におけるコネクタボディ１０の上部が部品挿入孔３１からケースカバー２の上方に突出し、ケースカバー２のリブ３２が副被覆部材４７の上面に接触する。これによって、図１５のｂ図に示すように、副被覆部材４７が、回路基板３に実装された複数のコネクタ７における被覆部材４どうし間の隙間、複数のコネクタ７と部品挿入孔３１のリブ３２との間の隙間を塞ぐ。このため、被覆部材４どうし間に隙間が形成されるように、複数のコネクタ７を回路基板３に実装することができるという利点がある。副被覆部材４７とケースカバー２とが回路基板３に別々に被せられたが、副被覆部材４７がケースカバー２に接着剤により一体に結合され、副被覆部材４７を備えたケースカバー２が回路基板３に被せられるようにしてもよい。この形態のように、副被覆部材４７を使用すれば、機種交換に伴い、回路基板３に実装される複数のコネクタ７の個数や複数のコネクタ７どうしの実装間隔が変わった場合であっても、ケースカバー２に形成される部品挿入孔３１を異なる機種どうしで共通に使用可能な大きさに予め形成しておくことによって、回路基板３と副被覆部材４７とを交換するだけで、ケースカバー２を共通に使用することがきるという利点がある。
【００２７】
図１６は、さらに別の形態である。図１６のａ図に示すように、被覆部材４とコネクタボディ１０とが別々に形成される。被覆部材４の被覆基板４０には、コネクタボディ１０の下部を収納する凹部４０ａが形成され、凹部４０ａの底部には電気接続端子１１を挿入する貫通孔４０ｂが形成される。そして、図１６のｂ図に示すように、電気接続端子１１が被覆部材４の上方から貫通孔４０ｂに挿入されて被覆基板４０よりも下方に突出し、コネクタボディ１０の下部が凹部４０ａに収納されて接着剤４０ｃで固定されることよって、被覆部材４がコネクタ７に一体に設けてられる。
【００２８】
図１７は、さらに別の形態である。図１７のａ図に示すように、被覆部材４とコネクタボディ１０とが別々に形成される。被覆部材４の被覆基板４０には、コネクタボディ１０の下部を収納する凹部４０ａが形成され、凹部４０ａの底部には電気接続端子１１を挿入する貫通孔４０ｂが形成される。そして、図１７のｂ図に示すように、電気接続端子１１が被覆部材４の上方から貫通孔４０ｂに挿入されて被覆基板４０よりも下方に突出し、コネクタボディ１０の下部が凹部４０ａに収納されて接着剤４０ｃで固定されることよって、被覆部材４がコネクタ７に一体に設けてられる。図１６と図１７との相違は、図１６における凹部４０ａが図１７の凹部４０ａよりも深い点である。よって、図１６における被覆部材４の被覆基板４０がコネクタボディ１０の上下方向の中間に位置するのに対し、図１７における被覆部材４の被覆基板４０がコネクタボディ１０の下部に位置する点で異なる。被覆部材４をコネクタボディ１０に嵌め込んで接着材４０ｃで固定することに代えて、接合または止めねじなどで固定してもよい。
【００２９】
図示は省略したが、回路基板３における電気部品６とコネクタ７とを接続する印刷配線と呼ばれる箔状の導体は、回路基板３の表面３ａまたは裏面３ｂの一方または両方に備えてもよい。リブ３２の下面と回路基板３の表面３ａが互いに接触するか接触する程度に近づいており、リブ３２の下面と回路基板３の表面３ａとの間に不正操作部材４６が進入できなければ、被覆部材４に周壁４１を設けなくてもよい。被覆部材４に周壁４１が存在せず、部品挿入孔３１の周縁部にリブ３２が存在せず、部品挿入孔３１の周縁部の下面面と回路基板３の表面３ａが互いに接触するか接触する程度に近づくようにしてもよい。ケースベース１とケースカバー２とが横移動によって組み合わせられる構造ではなく、ケースベース１とケースカバー２とが互いに弁当箱の蓋と容器のように嵌め合わせられた後、止めねじ結合される構造でもよい、ケースベース１とケースカバー２とを分離不能に固定する固定部２１および固定部３６はなくてもよい。
【図面の簡単な説明】
【００３０】
【図１】回路基板収納箱の主要部を示す断面図（最良の形態）。
【図２】回路基板収納箱を示す分解斜視図（最良の形態）。
【図３】ケースベースを示す斜視図（最良の形態）。
【図４】図３のＡ−Ａ線断面図（最良の形態）。
【図５】ケースカバーを前側から示す斜視図（最良の形態）。
【図６】図５のＢ−Ｂ線断面図（最良の形態）。
【図７】ケースカバーを裏側から示す斜視図（最良の形態）。
【図８】被覆部材を備えたコネクタを示す一部切除側面図（最良の形態）。
【図９】回路基板収納箱を組立工程図（最良の形態）。
【図１０】回路基板収納箱の組立工程図（最良の形態）。
【図１１】被覆部材を備えたコネクタを示す一部切除側面図（他の形態）。
【図１２】被覆部材を備えたコネクタを示す斜視図（他の形態）。
【図１３】被覆部材を備えたコネクタを示す一部切除側面図（他の形態）。
【図１４】回路基板収納箱の組立工程図（他の形態）。
【図１５】ａ図はコネクタの実装された回路基板と副被覆部材とケースカバーとを示す分解斜視図、ｂ図はコネクタの実装された回路基板と副被覆部材とケースカバーとの組立断面図（他の形態）。
【図１６】ａ図は被覆部材とコネクタとを別々に形成した斜視図、ｂ図は被覆部材とコネクタとの一体構造を示す断面図（他の形態）。
【図１７】ａ図は被覆部材とコネクタとを別々に形成した斜視図、ｂ図は被覆部材とコネクタとの一体構造を示す断面図（他の形態）。
【図１８】回路基板収納箱の要部を示す断面図（従来）。
【図１９】回路基板収納箱の異なる要部を示す断面図（従来）。
【符号の説明】
【００３１】
１      ケースベース
２      ケースカバー
３      回路基板
４      被覆部材
６      電気部品
７      コネクタ
１０    コネクタボディ
３１    部品挿入孔
３２    リブ
３７    閉鎖空間
４１    周壁
４４    隙間
４５    カバー側延設部
４７    副被覆部材
４７ａ  貫通孔
【図１】
2006095225.tif 000003
【図２】
2006095225.tif 000004
【図３】
2006095225.tif 000005
【図４】
2006095225.tif 000006
【図５】
2006095225.tif 000007
【図６】
2006095225.tif 000008
【図７】
2006095225.tif 000009
【図８】
2006095225.tif 000010
【図９】
2006095225.tif 000011
【図１０】
2006095225.tif 000012
【図１１】
2006095225.tif 000013
【図１２】
2006095225.tif 000014
【図１３】
2006095225.tif 000015
【図１４】
2006095225.tif 000016
【図１５】
2006095225.tif 000017
【図１６】
2006095225.tif 000018
【図１７】
2006095225.tif 000019
【図１８】
2006095225.tif 000020
【図１９】
2006095225.tif 000021